(57)【特許請求の範囲】
【請求項１】
把持するための把持部と、前記把持部の一端に延設され、基台と、前記基台の一面に露出するように設けられるヒータとを備えた睫毛を成形する成形部とを備える温熱式睫毛成形具において、前記ヒータを覆うと共に、睫毛が押し当てられる表面が中央凹に湾曲する湾曲面に形成されたカバーをさらに備えることを特徴とする温熱式睫毛成形具。
【請求項２】
前記カバーの表面に睫毛の滑りを防止する滑り防止手段を設けたことを特徴とする請求項１に記載の温熱式睫毛成形具。
【請求項３】
前記カバーの表面上に櫛片を設けたことを特徴とする請求項１又は請求項２に記載の温熱式睫毛成形具。
【請求項４】
前記カバーのヒータ側の形状をヒータの形状に合わせたことを特徴とする請求項１乃至請求項３の何れか１項に記載の温熱式睫毛成形具。
【請求項５】
前記カバーとヒータとの間に熱伝達部材を有していることを特徴とする請求項1乃至請求項４の何れか１項に記載の温熱式睫毛成形具。
【請求項６】
前記カバーを高熱伝達性材料で形成したことを特徴とする請求項1乃至請求項５の何れか１項に記載の温熱式睫毛成形具。
【請求項７】
前記カバーを交換可能にしたことを特徴とする請求項1乃至請求項６の何れか１項に記載の温熱式睫毛成形具。
【請求項８】
前記成形部の側面にスリットを設けたことを特徴とする請求項1乃至請求項７の何れか１項に記載の温熱式睫毛成形具。
【請求項９】
前記スリットを内側から外側に広がっていく形状に形成したことを特徴とする請求項８に記載の温熱式睫毛成形具。
【発明の詳細な説明】
【０００１】
【発明の属する技術分野】
本発明は、睫毛にカールづけを行うための温熱式睫毛成形具に関するものである。
【０００２】
【従来の技術】
睫毛にカールづけを行うための温熱式睫毛成形具であって、把持するための把持部と、把持部先端に延設され睫毛のカールづけを行なう成形部とを備えた一般の温熱式睫毛成形具には、成形部の睫毛作用側に露出するように設けられるヒータを有している形式のものがある。
【０００３】
例えば、特開平２００１−１２０３３３号公報には、成形部のヒータに電流を通じて加熱するとともにヒータ表出面を睫毛に押し当てるようにして接触させることにより、睫毛をカールさせることができるように構成された技術が開示されている。
【０００４】
【発明が解決しようとする課題】
しかしながら、上述のような温熱式睫毛成形具の従来技術では、露出したヒータが、睫毛に点でしか接触しておらず、このためかなりの熱を損失していた結果、カールづけの能力が不充分になるという問題があった。また、従来技術では、ヒータが睫毛に点でしか接触していないので、睫毛全体を均一に暖めることができない結果、睫毛にきれいなカールをつけることができないという問題があった。
【０００５】
本発明は前記不具合に鑑みてなされたものであり、成形部の熱の損失を少なくしてカールづけの能力を上げるとともに、睫毛全体を均一に暖めて、睫毛にきれいなカールをつけることができる温熱式睫毛成形具を提供することを課題とするものである。
【０００６】
【課題を解決するための手段】
上記課題を解決するための本発明は、把持するための把持部と、前記把持部の一端に延設され、基台と、前記基台の一面に露出するように設けられるヒータとを備えた睫毛を成形する成形部とを備える温熱式睫毛成形具において、前記ヒータを覆うと共に、睫毛が押し当てられる表面が中央凹に湾曲する湾曲面に形成されたカバーをさらに備えることを特徴とする温熱式睫毛成形具である。
【０００７】
この発明によれば、ヒータをカバーで覆ったので、睫毛に対する加熱部分の接触面積が増えるだけでなく、熱の損失が少なくなる結果、カールづけの能力を上げることができる。
【０００８】
そして、カバーの表面を中央凹に湾曲した形状にしたので、睫毛をこの湾曲した形状に正確にカールさせることができるだけでなく、加熱部分の接触面積を広くとれる結果、睫毛にしっかりと、きれいにカールをつけることができる。
【０００９】
また、睫毛全体を均一に暖めることができるため、睫毛にきれいなカールをつけることができる。
【００１０】
また、本発明の好ましい態様は、前記カバーの表面に睫毛の滑りを防止する滑り防止手段を設けたことを特徴とする請求項１に記載の温熱式睫毛成形具である。
【００１１】
この好ましい態様によれば、カバーの表面に滑り防止手段を設けたので、睫毛の滑りを防ぐことができる結果、睫毛にしっかりカールをつけることができる。
【００１２】
また、本発明の別の好ましい態様は、前記カバーの表面上に櫛片を設けたことを特徴とする請求項１又は請求項２に記載の温熱式睫毛成形具である。
【００１３】
この好ましい態様によれば、カバーの表面上に櫛片を設けたので、睫毛がきれいに分散した状態で、睫毛にカールをつけることができる。
【００１４】
また、本発明の別の好ましい態様は、前記カバーのヒータ側の形状をヒータの形状に合わせたことを特徴とする請求項１乃至請求項３の何れか１項に記載の温熱式睫毛成形具である。
【００１５】
この好ましい態様によれば、カバーのヒータ側の形状をヒータの形状に合わせたので、ヒータとカバーとの間の熱伝達率が良くなり、カバーに効率よく熱を伝えることができる結果、容易にカールをつけることができるようになる。
【００１６】
また、本発明の別の好ましい態様は、前記カバーとヒータとの間に熱伝達部材を有していることを特徴とする請求項1乃至請求項４の何れか１項に記載の温熱式睫毛成形具である。
【００１７】
この好ましい態様によれば、カバーとヒータとの間に熱伝達部材を有しているので、さらにヒータとカバーとの間の熱伝達率が良くなり、カバーに効率よく熱を伝えることができるようになる。
【００１８】
また、本発明の別の好ましい態様は、前記カバーを高熱伝達性材料で形成したことを特徴とする請求項1乃至請求項５の何れか１項に記載の温熱式睫毛成形具である。
【００１９】
この好ましい態様によれば、カバーを高熱伝達性材料で形成したので、さらにヒータとカバーとの間の熱伝達率が良くなり、カバーに効率よく熱を伝えることができるようになる。
【００２０】
また、本発明の別の好ましい態様は、前記カバーを交換可能にしたことを特徴とする請求項1乃至請求項６の何れか１項に記載の温熱式睫毛成形具である。
【００２１】
この好ましい態様によれば、カバーを交換可能にしたので、人により様々に異なるまぶたの形状や、睫毛の生え方などに対応して適切にカールをつけることが可能になる。また、目的に合わせて異なる形状のカバーを選択することができる結果、カールの付け方を日によって変えたいなどの要望を満たすことができるようになる。
【００２２】
また、本発明の別の好ましい態様は、前記成形部の側面にスリットを設けたことを特徴とする請求項1乃至請求項７の何れか１項に記載の温熱式睫毛成形具である。
【００２３】
この好ましい態様によれば、成形部の側面にスリットを設けたので、睫毛の根元に当たる部分２１とヒータとの距離を近くすることができる結果、睫毛に根元からしっかりとカールをつけることができる。
【００２４】
また、本発明の別の好ましい態様は、前記スリットを内側から外側に広がっていく形状に形成したことを特徴とする請求項８に記載の温熱式睫毛成形具である。
【００２５】
この好ましい態様によれば、スリットを内側から外側に広がっていく形状に形成したので、睫毛がヒータ近傍に導入され易くすることができる結果、睫毛に根元からしっかりとカールをつけることができるようにすることができる。
【００２６】
【発明の実施の形態】
以下、添付図面を参照しながら本発明の好ましい実施の一形態について詳述する。図１は本発明の実施形態に係る温熱式睫毛成形具１０の構成を示す正面図であり、図２は本発明の実施形態に係る温熱式睫毛成形具１０の構成を示す側面図である。また、図３は図２のＡ−Ａ矢視図である。
【００２７】
図１と図２とを参照して、図示の本発明の実施形態に係る温熱式睫毛成形具１０は、睫毛にカールづけを行うためのものであって、把持するための把持部１と、把持部１の一端に延設され、睫毛を成形する成形部２とを備え、成形部２は基台３と、基台３の一面に成形部２の睫毛作用側に露出するように設けられるヒータ４とを有している。
【００２８】
そして、このヒータ４は、カバー５で覆われた構成になっており、この成形部２に設けられたヒータ４に電流を通じてヒータ４とカバー５とを加熱するとともに、このカバー５を睫毛に押し当てることにより、睫毛を成形してカールさせることができるように構成されている。
【００２９】
上記把持部１は、細長い円筒状の合成樹脂製容器で構成されており、この把持部１の中には、詳細は省略するが、単４電池を脱着自在に収納する電池室とともに、ヒータ４の発熱を制御して適当な温度にヒータ４の温度を維持するための制御回路が設けられたプリント基板が収納される回路室が設けられている。
【００３０】
また、この把持部１には、側面に電源スイッチ１ａが設けられており、この電源スイッチ１ａを把持部１の長手方向にスライドさせることにより、電池からヒータ４に対する電力の供給がＯＮ、ＯＦＦされる。
【００３１】
上記基台３は、成形部２において、把持部１の一端に延設された棒状の部分であり、基台３の一面に成形部２の睫毛作用側に露出するようにヒータ４が設けられている。また、この基台３は、睫毛を成形部２に受け入れて成形を容易にする為に、基台３の中心軸と把持部１の中心軸は一定距離だけ平行に偏心した構成になっている。
【００３２】
図２と図３とを参照して、上記ヒータ４は、通電されると発熱するニクロム線等の電熱線が採用されている。このヒータ４は、電池の電力ですみやかに発熱するが、発生する熱によって、ヒータ４近傍の合成樹脂等の部材が溶融することのない温度になるように、最適な抵抗値のものが使用されている。
【００３３】
このヒータ４は、Ｕ字状に曲折して形成された絶縁ロッド４ａにニクロム線をコイル状に巻きつけて形成されており、基台３の内部に設けたＵ字溝３ｂに配設されている。
【００３４】
また、このヒータ４は、電池からヒータ４に電力を供給するためのリード線４ｂに接続されており、このリード線４ｂは、把持部１の回路室に配設された図略のプリント基板に接続されている。
【００３５】
図４は本発明の実施形態に係る温熱式睫毛成形具１０のカバー５の構成を示す正面図である。また、図５は本発明の実施形態に係る温熱式睫毛成形具１０のカバー５の構成を示す断面図である。
【００３６】
図４〜図５を参照して、上記カバー５は、成形部２の熱の損失を少なくして、カールづけの能力を上げ、また、睫毛全体を均一に暖めて、睫毛にきれいなカールをつけることができるようにするために成形部２に設けられたものである。
【００３７】
このカバー５は、睫毛を湾曲した形状に正確にカールさせるために、カバー５の表面は、中央凹に湾曲する湾曲面に形成されている。そして、この湾曲面により、睫毛を湾曲した形状にカールさせるだけでなく、加熱部分の接触面積を広くとって、睫毛にしっかりと、きれいにカールをつけるようにすることができるように構成されている。
【００３８】
このカバー５は、ヒータ４とカバー５との間の熱伝達率を良くして、ヒータ４からカバー５に効率よく熱を伝えることができるようにするために、例えば、熱伝導性に優れる金属や樹脂などの熱伝導性の良い高熱伝達性材料で形成されており、ヒータ４に加熱されたカバー５に睫毛を接触させることにより、睫毛を成形してカールすることができるようになっている。
【００３９】
また、ヒータ４とカバー５との間の熱伝達率を良くし、カバー５に効率よく熱を伝えて容易にカールをつけることができるようにするために、カバー５のヒータ４側の形状をヒータ４の形状に合わせている。
【００４０】
さらにヒータ４とカバー５との間の熱伝達率を良くし、カバー５に効率よく熱を伝えることができるようにするために、カバー５とヒータ４との間には熱伝達部材６が設けられている。
【００４１】
また、カバー５の表面には、睫毛の滑りを防いで睫毛にしっかりカールをつけることができるようにするために、睫毛の滑りを防止する滑り防止手段７が設けられている。
【００４２】
また、カバー５の表面上には、睫毛がきれいに分散した状態で、睫毛にカールをつけることができるようにするために、櫛片８が設けられている。
【００４３】
さらに、カバー５の表面上には、櫛片８がまぶたに当たることを防止しながら睫毛を分散させることができるようにするために、櫛片８よりも高い高さを有した複数のリブ９が把持部１の長手方向に略垂直な方向に平行に設けられている。
【００４４】
そして、このカバー５は、人により様々に異なるまぶたの形状や、睫毛の生え方などに対応して適切にカールをつけることを可能にするために、また、目的に合わせて異なる形状のカバー５を選択することができるようにしてカールの付け方を日によって変えたいなどの要望を満たすことができるようにするために、交換可能に構成されている。
【００４５】
上記熱伝達部材６は、ヒータ４とカバー５との間の熱伝達率を良くし、カバー５に効率よく熱を伝えることができるようにするために、カバー５とヒータ４との間に設けられるものであり、グリスや弾性材料などの物質から構成されている。
【００４６】
上記滑り防止手段７は、睫毛の滑りを防いで睫毛にしっかりカールをつけることができるようにするために、カバー５の表面に設けられた凸形状の部分であり、図示のように、略円弧状の滑らかな縁を有し、カバー５の表面全体に渡ってリブ９と櫛片８との間に、斜めに平行に配列されている。
【００４７】
上記櫛片８は、カールづけを行おうとする睫毛を、ヒータ４による睫毛のカールづけを損なうことがない状態で分散させるために、カバー５の表面に対し略垂直に設けられた略円柱状の部分であり、ヒータ４による睫毛のカールづけの直前、直後に睫毛を分散させるために、カバー５の表面の両側部５ａに設けられるとともに、さらに効果的に睫毛を分散させるために、中央部５ｂにも設けられている。
【００４８】
上記複数のリブ９は、櫛片８がまぶたに当たることを防止しながら睫毛を分散させることができるようにするために、カバー５の表面に櫛片８よりも高く設けられたものであり、睫毛をカールさせる方向すなわち、把持部１の軸方向と垂直な方向に等間隔に平行に設けられている。このリブ９は、カバー５の表面が、リブ９の先端９ａよりも外側に突出することを確実に阻止している。また、リブ９の先端９ａの縁は滑らかな曲線になるように成形されており、使用者のまぶたを傷つけることなく隣接するリブ９の間に睫毛を滑らかに導入することができる構成になっている。
【００４９】
次に図６を参照して、本実施形態の温熱式睫毛成形具１０の作用について説明する。図６は、本実施形態の温熱式睫毛成形具１０の使用状態を示す説明図である。
【００５０】
図６を参照して、（ａ）は、本実施形態に係る温熱式睫毛成形具１０のカバー５を睫毛の基部Ｅａに押し当てている状態、（ｂ）は、本実施形態に係る温熱式睫毛成形具１０のカバー５を、睫毛の中央部Ｅｂに押し当てている状態、（ｃ）は、本実施形態に係る温熱式睫毛成形具１０のカバー５の湾曲面に沿って、睫毛が、基部Ｅａから上部Ｅｃにかけて成形されてカールされた状態を示している。
【００５１】
このように、本実施形態に係る睫毛成形具１０の使用者は、図略の鏡と正対し、図示のように、櫛片８と櫛片８との間に睫毛を導入させた状態で、睫毛の基部Ｅａから上部Ｅｃにかけて、睫毛の下面にカバー５を押し当てて睫毛を成形することにより、きれいな形に睫毛をカールさせることができる。
【００５２】
以上説明したように、本実施形態の温熱式睫毛成形具１０によれば、ヒータ４をカバー５で覆ったので、睫毛に対する加熱部分の接触面積が増えるだけでなく、熱の損失が少なくなる結果、カールづけの能力を上げることができる。また、睫毛全体を均一に暖めることができるため、睫毛にきれいなカールをつけることができる。
【００５３】
また、本実施形態の温熱式睫毛成形具１０によれば、カバー５の表面を湾曲した形状にしたので、睫毛をこの湾曲した形状に正確にカールさせることができるだけでなく、加熱部分の接触面積を広くとれる結果、睫毛にしっかりと、きれいにカールをつけることができる。
【００５４】
また、本実施形態の温熱式睫毛成形具１０によれば、カバー５の表面に滑り防止手段７を設けたので、睫毛の滑りを防ぐことができる結果、睫毛にしっかりカールをつけることができる。
【００５５】
また、本実施形態の温熱式睫毛成形具１０によれば、カバー５の表面上に櫛片８を設けたので、睫毛がきれいに分散した状態で、睫毛にカールをつけることができる。
【００５６】
また、本実施形態の温熱式睫毛成形具１０によれば、カバー５のヒータ４側の形状をヒータ４の形状に合わせたので、ヒータ４とカバー５との間の熱伝達率が良くなり、カバー５に効率よく熱を伝えることができる結果、容易にカールをつけることができるようになる。
【００５７】
また、本実施形態の温熱式睫毛成形具１０によれば、カバー５とヒータ４との間に熱伝達部材６を有しているので、さらにヒータ４とカバー５との間の熱伝達率が良くなり、カバー５に効率よく熱を伝えることができるようになる。
【００５８】
また、本実施形態の温熱式睫毛成形具１０によれば、カバー５を高熱伝達性材料で形成したので、さらにヒータ４とカバー５との間の熱伝達率が良くなり、カバー５に効率よく熱を伝えることができるようになる。
【００５９】
また、本実施形態の温熱式睫毛成形具１０によれば、カバー５を交換可能にしたので、人により様々に異なるまぶたの形状や、睫毛の生え方などに対応して適切にカールをつけることが可能になる。また、目的に合わせて異なる形状のカバー５を選択することができる結果、カールの付け方を日によって変えたいなどの要望を満たすことができるようになる。
【００６０】
次に図７、図８を参照して、本実施形態に係る睫毛成形具１０の変形例２０について説明する。図７は本発明の実施形態に係る温熱式睫毛成形具１０の変形例２０を示す側面図であり、図８は本発明の実施形態に係る温熱式睫毛成形具１０の変形例２０を示す正面図である。また、図９は、本実施形態に係る温熱式睫毛成形具１０の変形例２０の使用状態を示す説明図である。
【００６１】
図７〜図９を参照して、本実施形態に係る温熱式睫毛成形具１０の変形例２０は、睫毛の根元に当たる部分２１とヒータ４との距離を近くして、睫毛に根元からしっかりとカールをつけることができるようにするために、成形部２の側面にスリット２２を設けている。
【００６２】
このスリット２２は、睫毛がヒータ４近傍に導入され易くすることができるようにして、睫毛に根元からしっかりとカールをつけることができるようにするために、内側から外側に広がっていく形状に形成されている。
【００６３】
図９を参照して、（ａ）は、本実施形態に係る温熱式睫毛成形具１０において、スリット２２の無いカバー５を睫毛の基部Ｅａに押し当てている状態、（ｂ）は、スリット２２を有した本実施形態に係る温熱式睫毛成形具１０の変形例２０において、カバー５を睫毛の基部Ｅａに押し当てている状態をそれぞれ示している。
【００６４】
このように、本実施形態に係る温熱式睫毛成形具１０の変形例２０によれば、成形部２の側面にスリット２２を設けたので、睫毛の根元に当たる部分２１とヒータ４との距離を近くすることができる結果、睫毛に根元からしっかりとカールをつけることができる。
【００６５】
また、本実施形態に係る温熱式睫毛成形具１０の変形例２０によれば、スリット２２を内側から外側に広がっていく形状に形成したので、睫毛がヒータ４近傍に導入され易くすることができる結果、睫毛に根元からしっかりとカールをつけることができるようにすることができる。
【００６６】
上述した実施の形態は本発明の好ましい具体例を例示したものに過ぎず、本発明は上述した実施の形態に限定されない。
【００６７】
例えば、把持部１は、細長い円筒状の合成樹脂製容器に限定されず、形状材質については種々の設計変更が可能である。
【００６８】
また、この把持部１の中に収納される電池は、必ずしも単４電池である必要はなく、種々のタイプの電池が採用可能である。
【００６９】
また、電源スイッチ１ａの入力方法も必ずしもスライド方式に限らず、プッシュ式など、その他の機構が採用可能である。
【００７０】
さらに、成形部２の形状も、必ずしも棒状に限定されず、また、成形部２の中心軸と把持部１の中心軸は一定距離だけ平行に偏心した構成になっている必要はない。睫毛を成形部２に受け入れて成形を容易にすることができれば、どのような形状であってもよい。
【００７１】
ヒータ４は、ニクロム線に限らず、通電されると発熱する電熱線であり、電池の電力ですみやかに発熱するが、発生する熱によって、ヒータ４近傍の合成樹脂等の部材が溶融することのない温度になるような最適な抵抗値のものであれば、採用可能である。
【００７２】
また、熱伝達部材６は、必ずしもグリスや弾性材料などの物質に限定されない。ヒータ４とカバー５との間の熱伝達率を良くし、カバー５に効率よく熱を伝えることができるようにするために、カバー５とヒータ４との間に配置することができるものであれば、種々の設計変更が可能である。
【００７３】
また、滑り防止手段７は、必ずしも図示のように、略円弧状の滑らかな縁を有し、カバー５の表面全体に渡ってリブ９と櫛片８との間に、斜めに平行に配列された形状に限定されない。睫毛にしっかりカールをつけることができるようにするために、カバー５の表面に設けられて、睫毛の滑りを防ぐものであれば、種々の設計変更が可能である。
【００７４】
また、櫛片８の形状も必ずしも略円柱状に限定されず、カールづけを行おうとする睫毛を、ヒータ４による睫毛のカールづけを損なうことがない状態で分散させることができる形状であれば、種々の設計変更が可能である。
【００７５】
リブ９の形状も必ずしも図示の形状に限定されない。櫛片８がまぶたに当たることを防止しながら睫毛を分散させることができるようにするために、櫛片８よりも高く設けられたものであり、カバー５の表面が、リブ９の先端９ａよりも外側に突出することを確実に阻止するものであれば、種々の設計変更が可能である。
【００７６】
また、本実施形態に係る温熱式睫毛成形具１０の変形例２０において、スリット２２は、必ずしも図示の形状に限定されない。睫毛がヒータ４近傍に導入され易くして、睫毛に根元からしっかりとカールをつけることができるようにするために、内側から外側に広がっていく形状に形成されていれば、どのような形状であってもよい。
【００７７】
また、このスリット２２は、必ずしもカバー５に設けられることは必須ではなく、カバー５の無い温熱式睫毛成形具１０において、基台３にスリット２２入れても同様の効果を得ることができる。
【００７８】
その他、本発明の特許請求の範囲内で種々の設計変更が可能であることはいうまでもない。
【００７９】
【発明の効果】
以上説明したように、本発明によれば、熱の損失が少ないので、カールづけの能力を上げることができる。そして、カバーの表面を中央凹に湾曲した形状にしたので、睫毛をこの湾曲した形状に正確にカールさせることができるだけでなく、加熱部分の接触面積を広くとれる結果、睫毛にしっかりと、きれいにカールをつけることができる。また、睫毛全体を均一に暖めることができるので、睫毛にきれいなカールをつけることができるという顕著な効果を奏する。
【図面の簡単な説明】
【図１】  本発明の実施形態に係る温熱式睫毛成形具の構成を示す正面図である。
【図２】  本発明の実施形態に係る温熱式睫毛成形具の構成を示す側面図である。
【図３】  図２のＡ−Ａ矢視図である。
【図４】  本発明の実施形態に係る温熱式睫毛成形具のカバーの構成を示す正面図である。
【図５】  本発明の実施形態に係る温熱式睫毛成形具のカバーの構成を示す断面図である。
【図６】  本実施形態の温熱式睫毛成形具の使用状態を示す説明図であり、（ａ）は、本実施形態に係る温熱式睫毛成形具のカバーを睫毛の基部に押し当てている状態、（ｂ）は、本実施形態に係る温熱式睫毛成形具のカバーを、睫毛の中央部に押し当てている状態、（ｃ）は、本実施形態に係る温熱式睫毛成形具のカバーの湾曲面に沿って、睫毛が、成形されてカールした状態を示している。
【図７】  本発明の実施形態に係る温熱式睫毛成形具の変形例を示す側面図であり、
【図８】  本発明の実施形態に係る温熱式睫毛成形具の変形例を示す正面図である。
【図９】  本実施形態に係る温熱式睫毛成形具の変形例の使用状態を示す説明図であり、（ａ）は、本実施形態に係る温熱式睫毛成形具において、スリットの無いカバーを睫毛の基部に押し当てている状態、（ｂ）は、スリットを有した本実施形態に係る温熱式睫毛成形具の変形例において、カバーを睫毛の基部に押し当てている状態をそれぞれ示している。
【符号の説明】
１      把持部
２      成形部
３      基台
４      ヒータ
５      カバー
６      熱伝達部材
７      滑り防止手段
８      櫛片
１０    温熱式睫毛成形具
２１    スリット
【図１】
0003966060.tif 000002
【図２】
0003966060.tif 000003
【図３】
0003966060.tif 000004
【図４】
0003966060.tif 000005
【図５】
0003966060.tif 000006
【図６】
0003966060.tif 000007
【図７】
0003966060.tif 000008
【図８】
0003966060.tif 000009
【図９】
0003966060.tif 000010